(57)【特許請求の範囲】
【請求項１】
オーディオ信号の音量レベルを調整するレベル調整装置に、前記音量レベルの調整量を設定する音量制御装置であって、
前記レベル調整装置に設定されている調整量Ｌを記憶する記憶部と、
音量レベルの変化を指示する操作部が押されたことを示す操作信号を入力する入力部と、
前記操作信号が最初に入力された時刻からの経過時間Ｔを計測する計測部と、
前記操作信号に基づいて、前記操作部が継続的に押されているか否かを判定する判定部と、
前記操作部が継続的に押されていると判定された場合、前記経過時間Ｔと、前記調整量Ｌと、しきい値Ｔｈと、０よりも大きい定数ａ，ｂ，ｃとを用いた下記式（１）に基づいて、前記調整量Ｌの変化量Ｐを決定する変化量決定部と、
【数１】
0005240290.tif 000004
前記変化量Ｐを用いて、前記レベル調整装置に設定されている調整量Ｌを更新する更新部とを備える音量制御装置。
【請求項２】
オーディオ信号の音量レベルを調整するレベル調整装置に、前記音量レベルの調整量を設定する音量制御方法であって、
前記レベル調整装置に設定されている調整量Ｌを記憶するステップと、
音量レベルの変化を指示する操作部が押されたことを示す操作信号を入力するステップと、
前記操作信号が最初に入力された時刻からの経過時間Ｔを計測するステップと、
前記操作信号に基づいて、前記操作部が継続的に押されているか否かを判定するステップと、
前記操作部が継続的に押されていると判定された場合、前記経過時間Ｔと、前記調整量Ｌと、しきい値Ｔｈと、０よりも大きい定数ａ，ｂ，ｃとを用いた下記式（２）に基づいて、前記調整量Ｌの変化量Ｐを決定するステップと、
【数２】
0005240290.tif 000005
前記変化量Ｐを用いて、前記レベル調整装置に設定されている調整量Ｌを更新するステップとを備える音量制御方法。
【請求項３】
オーディオ信号の音量レベルを調整するレベル調整装置に、前記音量レベルの調整量を設定する音量制御装置を、
前記レベル調整装置に設定されている調整量Ｌを記憶する記憶部、
音量レベルの変化を指示する操作部が押されたことを示す操作信号を入力する入力部、
前記操作信号が最初に入力された時刻からの経過時間Ｔを計測する計測部、
前記操作信号に基づいて、前記操作部が継続的に押されているか否かを判定する判定部、
前記操作部が継続的に押されていると判定された場合、前記経過時間Ｔと、前記調整量Ｌと、しきい値Ｔｈと、０よりも大きい定数ａ，ｂ，ｃとを用いた下記式（３）に基づいて、前記調整量Ｌの変化量Ｐを決定する変化量決定部、
【数３】
0005240290.tif 000006
前記変化量Ｐを用いて、前記レベル調整装置に設定されている調整量Ｌを更新する更新部、として機能させるためのプログラム。
【発明の詳細な説明】
【技術分野】
【０００１】
本発明は、音量制御装置に関し、さらに詳しくは、音量の増減を指示するボタンにより入力された操作信号に基づいて、オーディオ信号の音量レベルを制御する音量制御装置に関する。
【背景技術】
【０００２】
ＡＶ（Audio and Visual）アンプなどのオーディオ装置には、外部に出力される音量レベルを制御する音量制御装置が搭載される。ユーザは、音量の増減を指示するプッシュ式ボタン（以下、「ボタン」という）、回転式の音量調整つまみを操作して、音量レベルの変更を指示する。音量制御装置は、ユーザの操作に応じた操作信号に基づいて、音量レベルの調整量を決定する。電子ボリュームなどの装置は、決定された調整量に基づいてオーディオ信号の音量レベルを調整する。
【０００３】
音量調整つまみを用いて音量操作を行うタイプのオーディオ装置は、回転つまみとともに回転するロータリーエンコーダを備える。ロータリーエンコーダは、所定角度回転するたびに、パルス信号を出力する。音量制御装置は、パルス信号を受信するたびに、調整量を変化させる。音量レベルを増加させるか、または減少させるかは、ロータリーエンコーダの回転方向に基づいて決定される。
【０００４】
特許文献１には、ロータリーエンコーダの操作速度と、現在の音量レベルとに基づいて、音量レベルの変化量を決定する音量制御装置が記載されている。操作速度は、ロータリーエンコーダから出力されるパルス信号の周期に基づいて検出される。ユーザは、音量を増加させる方向へロータリーエンコーダを速く回転させることにより、音量レベルを急激に大きくすることができる。ロータリーエンコーダを用いて音量レベルを調整する場合、ユーザは、ロータリーエンコーダの回転速度の他に、ロータリーエンコーダの回転角に基づいて、音量レベルがどれくらい変化するかを感覚的に判断することができる。
【０００５】
これに対して、ボタンを用いて音量レベルの変化量を変更する場合、ユーザは、ロータリーエンコーダのような感覚的に操作することが難しい。ボタンの操作方法には、所定時間以上ボタンを押し続ける（以下、「長押し」という）方法がある。ボタンを長押しすることにより、音量レベルの変化量を増大させることができる。しかし、ボタンが長押しされることにより、音量レベルが大きくなりすぎることがある。このように、ユーザが、音量レベルを所望のレベルにするために、どのくらいの時間ボタンを押し続ければよいのか判断することは難しい。ボタン操作は、音量レベルを大きく変化させる操作には不向きである。
【先行技術文献】
【特許文献】
【０００６】
【特許文献１】特許３６５４０６４号
【特許文献２】特開２００９−１９４８１５号公報
【発明の概要】
【発明が解決しようとする課題】
【０００７】
本発明の目的は、ボタン操作を用いて音量レベルを所望のレベルに調整しやすい音量制御装置を提供することである。
【課題を解決するための手段及び発明の効果】
【０００８】
本発明の音量制御装置は、オーディオ信号の音量レベルを調整するレベル調整装置に、音量レベルの調整量を設定する。音量制御装置は、記憶部と、入力部と、計測部と、判定部と、変化量決定部と、更新部とを備える。記憶部は、レベル調整装置に設定されている調整量Ｌを記憶する。入力部は、音量レベルの変化を指示する操作部が押されたことを示す操作信号を入力する。計測部は、操作信号を最初に検出した時刻からの経過時間Ｔを計測する。判定部は、操作信号に基づいて、操作部が継続的に押されているか否かを判定する。変化量決定部は、操作部が継続的に押されていると判定された場合、経過時間Ｔと、調整量Ｌと、しきい値Ｔｈと、０よりも大きい定数ａ，ｂ，ｃとを用いた下記式（１）に基づいて、調整量Ｌの変化量Ｐを決定する。
【０００９】
【数１】
0005240290.tif 000002
【００１０】
更新部は、変化量Ｐを用いて、レベル調整装置に設定されている調整量Ｌを更新する。
【００１１】
本発明によれば、操作部が長押しされ、かつ、調整量Ｌがしきい値Ｔｈよりも小さい場合、変化量Ｐは、操作部が押されている時間に応じて大きくなる。しきい値を超えて音量レベルが大きく変化することがないため、操作部の長押しにより、音量レベルが極端に増加することを防ぐことができる。
【００１２】
本発明による音量制御方法及びプログラムは、上述の音量制御装置に用いられる。
【図面の簡単な説明】
【００１３】
【図１】本発明の実施の形態による音量制御装置を含むオーディオ装置の構成を示す機能ブロック図である。
【図２】図１に示す音量制御装置の動作を示すフローチャートである。
【図３】図１に示す増加指示ボタンが長押しされたときにおける音量制御装置の動作を示すフローチャートである。
【図４】図１に示す音量制御装置が音量レベルの変化量を決定するときの動作を示すフローチャートである。
【発明を実施するための形態】
【００１４】
以下、図面を参照し、本発明の実施の形態を詳しく説明する。図中同一又は相当部分には同一符号を付してその説明は繰り返さない。
【００１５】
［全体構成］
図１は、本実施の形態による音量制御装置１を含むオーディオ装置１００の機能ブロック図である。図１を参照して、オーディオ装置１００は、ＡＶアンプなどの装置であり、音量制御装置１と、電子ボリューム３と、リモートコントローラ４とを備える。オーディオ装置１００には、ＣＤ（Compact Disc）プレイヤ、ＤＶＤ（Digital Versatile Disk）プレイヤなどの音源２が接続される。ユーザは、リモートコントローラ４を用いて、オーディオ装置１００を操作する。
【００１６】
音源２は、アナログまたはディジタルのオーディオ信号５０をオーディオ装置１００に出力する。音源２から出力されるオーディオ信号５０の音量レベルは、一定である。
【００１７】
電子ボリューム３は、ワンチップのマイクロコントローラであり、オーディオ信号５０の音量レベルを調整する。音量レベルの調整量は、音量制御装置１により設定される。音量レベルが調整されたオーディオ信号５０は、パワーアンプ（図示省略）で増幅された後に、スピーカ（図示省略）に入力される。電子ボリューム３は、０〜８０の範囲でオーディオ信号５０の音量レベルを調整できると仮定する。なお、音量レベルの最大値は、８０に限定されない。
【００１８】
リモートコントローラ４は、ユーザの操作に応じた操作信号を音量制御装置１に送信する。リモートコントローラ４は、増加指示ボタン４１及び減少指示ボタン４２を備える。図１において、リモートコントローラ４の他のボタンの表示を省略する。増加指示ボタン４１は、音量レベルの増加を指示するためのボタンである。増加指示ボタン４１が押された場合、リモートコントローラ４は、音量レベルの増加を指示する増加指示信号４１Ａを音量制御装置１に送信する。減少指示ボタン４２は、音量レベルの減少を指示するためのボタンである。減少指示ボタン４２が押された場合、リモートコントローラ４は、音量レベルの減少を指示する減少指示信号４２Ａを音量制御装置１に送信する。
【００１９】
音量制御装置１は、たとえば、ワンチップのマイクロコントローラであり、オーディオ信号５０の音量レベルの調整量を決定する。音量制御装置１は、ＣＰＵ（Central Processing Unit）１１と、ＲＡＭ（Random Access Memory）１２と、ＲＯＭ（Read Only Memory）１３と、インタフェース１４とを備える。
【００２０】
ＣＰＵ１１は、ＲＡＭ１２にロードされたプログラムを実行して、音量制御装置１を制御する。ＲＡＭ１２は、電子ボリューム３に設定されているオーディオ信号５０の音量レベルの調整量（以下、「設定調整量」という）を記憶する。設定調整量は、設定データ１６としてＲＡＭ１２に格納される。
【００２１】
ＲＯＭ１３は、不揮発性のメモリであり、音量制御プログラム１５を格納する。音量制御プログラム１５は、リモートコントローラ４から入力される増加指示信号４１または減少指示信号４２Ａに基づいて、設定調整量の変化量を決定するプログラムである。インタフェース１４は、赤外線通信、Ｂｌｕｅｔｏｏｔｈ（登録商標）などの無線通信を用いて、リモートコントローラ４から操作信号を受信する。インタフェース１４は、設定データ１６を電子ボリューム３に送信する。
【００２２】
［動作概要］
音量制御装置１は、音量制御プログラム１５を実行することにより、設定調整量を決定する。音量制御装置１は、増加指示信号４１Ａまたは減少指示信号４２Ａに基づいて、設定調整量の変化量を決定する。音量制御装置１は、決定した変化量に基づいて、電子ボリューム３に設定された設定調整量を更新する。
【００２３】
ユーザは、増加指示ボタン４１または減少指示ボタン４２を１回押すだけでなく、これらのボタンを長押しすることにより音量レベルの変更を指示することができる。たとえば、リモートコントローラ４は、増加指示ボタン４１が長押しされた場合、増加指示信号４１Ａを音量制御装置１に連続的に送信する。
【００２４】
音量制御装置１Ａは、増加指示ボタン４１が長押しされていると判定した場合、ＲＡＭ１２に格納された設定データ１６を用いて、電子ボリューム３に設定された設定調整量がしきい値よりも大きいか否かを判定する。しきい値は、０から音量レベルの最大値（８０）の範囲内に設定される。判定結果に基づいて、下記の２つの処理のいずれかにより、設定調整量の変化量が決定される。
【００２５】
設定調整量がしきい値以下である場合、音量制御装置１は、設定調整量と、しきい値と、増加指示ボタン４１が押されている時間とに基づいて、変化量を決定する。増加指示ボタン４１が押されている時間が長く、かつ、設定調整量としきい値との差が大きいほど、変化量（増加量）が大きくなる。
【００２６】
設定調整量がしきい値よりも大きければ、音量制御装置１は、増加指示信号４１Ａを受信するたびに、変化量を所定値（たとえば、１）に決定する。所定値は、後述する設定調整量の最小変化量に対応する。したがって、設定調整量がしきい値よりも大きいときに、電子ボリューム３から出力されるオーディオ信号５０の音量レベルは、一定の割合で増加する。
【００２７】
減少指示ボタン４２が長押しされた場合、上記と同様の処理により変化量が決定される。
【００２８】
［設定調整量の更新の詳細］
以下、ユーザが増加指示ボタン４１を押すケースを例にして、設定調整量を更新する音量制御装置１の動作を説明する。図２は、リモートコントローラ４から操作信号を受信したときの音量制御装置１の動作を示すフローチャートである。
【００２９】
リモートコントローラ４は、一定の間隔（たとえば、１０８ミリ秒）で操作信号を音量制御装置１に送信する。つまり、ユーザが増加指示ボタン４１を１回押したとき、リモートコントローラ４は、増加指示信号４１Ａを１回送信する。ユーザが増加指示ボタン４１を長押ししたとき、リモートコントローラ４は、一定の間隔で、増加指示信号４１Ａを連続的に送信する。
【００３０】
音量制御装置１は、リモートコントローラ４から操作信号を受信したときに、図２に示す処理を開始する。音量制御装置１は、受信した操作信号（以下、「処理対象信号」という）が増加指示信号４１Ａであるか否かを確認する（ステップＳ１）。
【００３１】
処理対象信号が増加指示信号４１Ａであれば（ステップＳ１でＹｅｓ）、音量制御装置１は、増加指示ボタン４１が長押しされているか否かを判定する（ステップＳ２）。具体的には、音量制御装置１は、処理対象信号と、処理対象信号を受信する直前に受信した操作信号とに基づいて、増加指示信号４１Ａを連続して受信したか否かを確認する。
【００３２】
音量制御装置１は、連続して増加指示信号４１Ａを受信した場合、増加指示ボタン４１が長押しされていると判定し（ステップＳ２においてＹｅｓ）、経過時間確認処理を実行する（ステップＳ６）。経過時間確認処理は、増加指示ボタン４１が長押しされている時間（経過時間）を確認する処理である。経過時間確認処理の詳細は、後述する。
【００３３】
音量制御装置１は、連続して増加指示信号４１Ａを受信していない場合、増加指示ボタン４１が１回押されたと判定し（ステップＳ２においてＮｏ）、設定調整量の変化量を所定値に決定する（ステップＳ３）。音量レベルの最小変化量として決定された所定値（１）が、変化量として決定される。音量制御装置１は、決定した変化量を用いて、電子ボリューム３に設定された設定調整量を更新する（ステップＳ４）。
【００３４】
具体的には、音量制御装置１は、ＲＡＭ１２に記憶された設定調整量に、決定した変化量を加算する。ＲＡＭ１２は、加算された設定調整量を格納する。音量制御装置１は、加算された設定調整量を含む設定データ１６を電子ボリューム３に送信する。これにより、電子ボリューム３に設定された設定調整量が更新される。電子ボリューム３は、更新された設定調整量を用いて、音源２から入力されるオーディオ信号５０の音量レベルを調整する。
【００３５】
音量制御装置１は、経過時間の計測を開始する（ステップＳ５）。この時点では、音量制御装置１は、ユーザが増加指示ボタン４１を長押ししているか否かを判断できない。このため、音量制御装置１は、増加指示信号４１Ａを最初に受信したタイミングから音量増加指示ボタン４１が長押しされていると推定して、経過時間の計測を開始する。
【００３６】
ステップＳ１の説明に戻る。処理対象信号が増加指示信号４１Ａでなければ（ステップＳ１においてＮｏ）、音量制御装置１は、変化量決定処理（図４参照）を実行中であるか否かを確認する（ステップＳ７）。変化量決定処理は、増加指示ボタン４１が長押しされているときに、変化量を決定する処理である。変化量決定処理は、図２に示す処理と並行して実行される。変化量決定処理の詳細は後述する。
【００３７】
変化量決定処理が実行中であれば（ステップＳ７においてＹｅｓ）、音量制御装置１は、変化量決定処理を終了する（ステップＳ８）。これは、処理対象信号が増加指示信号４１でないため、ユーザが増加指示ボタン４１の長押しを解除したと推定できるためである。その後、オーディオ装置１００は、処理対象信号に応じた処理を実行する。変化量決定処理が実行中でなければ（ステップＳ７においてＮｏ）、音量制御装置１は、処理対象信号に応じた処理を実行する。
【００３８】
［経過時間確認処理］
図３は、経過時間確認処理（ステップＳ６）の処理を示すフローチャートである。上述のように、音量制御装置１は、増加指示ボタン４１が長押しされていると判定した場合（ステップＳ２においてＹｅｓ）、経過時間確認処理（ステップＳ６）を実行する。
【００３９】
図３を参照して、音量制御装置１は、経過時間が予め設定された判定時間（たとえば、５００ミリ秒）を超えているか否かを確認する（ステップＳ５１）。判定時間は、変化量決定処理（図４参照）を開始するか否かを判定するためのパラメータである。
【００４０】
経過時間が５００ミリ秒以下であれば（ステップＳ５１においてＮｏ）、音量制御装置１は、増加指示信号４１を受信したとしても、変化量を決定せずに図３に示す処理を終了する。ユーザが音量レベルを大きく変化させるために増加指示ボタン４１を長押ししたのではなく、偶発的に増加指示ボタン４１を長押ししたと考えられるためである。この結果、音量レベルは、最初に増加指示信号４１Ａを受信したときに加算された所定値だけ増加する（ステップＳ３、図２参照）。
【００４１】
経過時間が５００ミリ秒よりも大きければ（ステップＳ５１においてＹｅｓ）、音量制御装置１は、ユーザが、音量レベルを大きく増加させるために、増加指示ボタン４１を意図的に長押ししていると判定する。音量制御装置１は、変化量決定処理（図４参照）を実行しているか否かを確認する（ステップＳ５２）。変化量決定処理が実行されていれば（ステップＳ５２においてＹｅｓ）、音量制御装置１は、図３に示す処理を終了する。変化量が、増加指示ボタン４１の長押しに対応した基準で既に決定されているためである。
【００４２】
変化量決定処理が実行されていなければ（ステップＳ５２においてＮｏ）、音量制御装置１は、変化量を所定値（１）に決定する（ステップＳ５３）。音量制御装置１は、決定した変化量を用いて、電子ボリューム３に設定された設定調整量を更新する（ステップＳ５４）。ステップＳ５３及びＳ５４の処理は、図２に示すステップＳ３及びＳ４の処理と同じである。音量制御装置１は、変化量決定処理を開始する（ステップＳ５５）。
【００４３】
［変化量決定処理］
図４は、変化量決定処理を示すフローチャートである。図４を参照して、音量制御装置１は、リピートタイマを起動する（Ｓ１０１）。リピートタイマは、予め設定された時間が経過するたびに、設定された時間が経過したことを通知するソフトウェアタイマである。この時間は、リモートコントローラ４が操作信号を送信する間隔（１０８ミリ秒）よりも長い時間（たとえば、１２０ミリ秒）に設定される。変化量が１２０ミリ秒ごとに決定されるため、音量制御装置１は、変化量を計算してから再び変化量を計算するまでの間に、操作信号を受信することができる。これにより、リモートコントローラ４から受信した最新の操作信号に基づいて、オーディ信号５０の音量レベルを調整することができる。
【００４４】
次に、音量制御装置１は、変化量決定処理を終了するか否かを確認する（ステップＳ１０２）。上述したように、音量制御装置１は、変化量決定処理の実行中に、増加指示信号４１Ａではない他の操作信号を受信した場合、増加指示信号４１の長押しが解除されたと判定する（図２のステップＳ１，Ｓ６を参照）。この場合、音量制御装置１は、変化量決定処理の終了を決定し（ステップＳ１０２においてＹｅｓ）、リピートタイマをオフにする（ステップＳ１０６）。
【００４５】
音量制御装置１は、変化量決定処理を終了しない場合（ステップＳ１０２においてＮｏ）、リピートタイマの通知があるまで待機する。リピートタイマの通知があれば（ステップＳ１０３においてＹｅｓ）、音量制御装置１は、変化量を計算する（ステップＳ１０４）。
【００４６】
設定調整量をＬ、変化量の絶対値をＰ、経過時間をＴ、しきい値をＴｈ、予め設定される定数をａ，ｂとした場合、音量制御装置１は、下記式（２）を用いて変化量Ｐを決定する。
【００４７】
【数２】
0005240290.tif 000003
【００４８】
式（２）において、定数ａは、音量レベルが変化する速度を調整する速度調整定数である。定数ｂは、音量レベルの最小変化量であり、本実施の形態では１に設定されている。定数ｃは、音量レベルの最大値（８０）である。
【００４９】
設定調整量がしきい値以下である場合、変化量Ｐは、増加指示ボタン４１が長押しされている時間（経過時間）に比例して増加する。また、変化量は、しきい値と設定調整量との差に比例して増加する。音量レベルが比較的小さい領域（設定調整量がしきい値よりも小さい領域）において、音量レベルが大きく増加したとしても、周囲に与える影響は小さいと考えられる。経過時間に応じて変化量を増加させることにより、ユーザは、増加指示ボタン４１を押す時間に応じて音量レベルの変化量を制御できるため、ユーザは感覚的な操作が可能となる。
【００５０】
設定調整量Ｌがしきい値よりも大きい場合、音量レベルの変化量は、最小変化量（たとえば、１）で増加する。これにより、ユーザが増加指示信号４１を長押ししたときに、音量レベルが大きい領域では、音量レベルが急激に増加することが防止される。
【００５１】
ここで、設定調整量Ｌがしきい値Ｔｈ以下である場合を考える。設定調整量がしきい値に近づくにつれて、変化量は、最小変化量（定数ｂ）に収束する。これにより、ユーザの操作によって、設定調整量がしきい値を超えて変化する場合であっても、変化量が急激に変化することはない。したがって、オーディオ信号５０の音量レベルがしきい値をまたいで変化するときに、ユーザが違和感を覚えることが少なくなる。
【００５２】
図４を参照して、音量制御装置１は、式（２）に基づいて計算した変化量を用いて、電子ボリューム３に設定された設定調整量を更新する（ステップＳ１０５）。ステップＳ１０５の処理は、図２に示すステップ４の処理と同じである。以下、変化量決定処理が終了するまで、ステップＳ１０２〜Ｓ１０５が繰り返される。
【００５３】
ここまで、増加指示ボタン４１が長押しされるケースを説明したが、減少指示ボタン４２が長押しされたときにも、音量制御装置１は、上記と同様の動作により変化量を決定する。減少指示ボタン４２が１回だけ押された場合、または長押しされている場合、設定調整量から変化量が減算される。したがって、減少指示ボタン４２が長押しされたとき、音量レベルは、以下に述べるように変化する。設定調整量Ｌがしきい値Ｔｈ以下であれば、音量レベルの減少量は、経過時間Ｔが長いほど大きくなる。また、音量レベルの減少量は、設定調整量Ｌとしきい値Ｔｈとの差が大きいほど大きくなる。
【００５４】
上記実施の形態では、電子ボリューム３が、音源２から入力されたオーディオ信号５０の音量レベルを調整したが、Ｄ／Ａ（Digital/Analog）変換装置が、ディジタル形式のデータからオーディオ信号５０を生成した際に、オーディオ信号５０の音量レベルを調整してもよい。つまり、音量制御装置１は、オーディオ信号の音量レベルを調整するレベル調整装置に対して、設定調整量を設定すればよい。
【００５５】
上記実施の形態では、リモートコントローラ４が増加指示ボタン４１及び減少指示ボタン４２を備え、インタフェース１４が、増加指示信号４１Ａ及び減少指示信号４２Ａを受信した。しかし、オーディオ装置１００の本体が、増加指示ボタン４１及び減少指示ボタン４２などのハードウェアキーを備えてもよい。また、リモートコントローラ４またはオーディオ装置１００がタッチパネル式ディスプレイを備える場合、増加指示ボタン４１及び減少指示ボタン４２は、タッチパネル式ディスプレイに表示されるソフトウェアキーであってもよい。つまり、オーディオ装置１００は、音量の増減を指示するボタンにより音量の変更を指示することができる操作部を備えればよい。また、音量制御装置１は、インタフェース１４のように、増加指示ボタン４１または減少指示ボタン４２などの操作部が押されたことを示す操作信号を入力する入力部を備えていればよい。
【００５６】
上記実施の形態では、リモートコントローラ４が、増加指示ボタン４１が長押しされたときに、増加指示信号４１Ａを連続的に送信する例を説明した。しかし、リモートコントローラ４は、増加指示信号４１Ａを最初に送信した後に、ユーザの操作に変化がないことを通知する信号を送信してもよい。つまり、音量制御装置１は、音量レベルの変更を指示する操作部が押されていることを示す操作信号に基づいて、操作部が長押しされているか否かを判定すればよい。
【００５７】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【符号の説明】
【００５８】
１  音量制御装置
２  音源
３  電子ボリューム
４  リモートコントローラ
１１  ＣＰＵ
１２  ＲＡＭ
１３  ＲＯＭ
１４  インタフェース（Ｉ／Ｆ）
１５  音量制御プログラム
１６  設定データ
４１  増加指示ボタン
４２  減少指示ボタン
１００  オーディオ装置
【図１】
0005240290.tif 000007
【図２】
0005240290.tif 000008
【図３】
0005240290.tif 000009
【図４】
0005240290.tif 000010